(57)【特許請求の範囲】
【請求項１】
電柱（Ｃ）に固定するための固定部材（１）と、該固定部材（１）に取り付けられる巻掛部材（３０）と、該巻掛部材（３０）に巻き掛けられるケーブルの位置決め手段（３５）とで構成され、
前記固定部材（１）は、電柱（Ｃ）に対して水平方向に配される筒体（１０）と、該筒体（１０）の基端部に設けられ、電柱（Ｃ）の周面に沿うようにして該電柱（Ｃ）に取り付けられるバンド体（２，２）と、筒体（１０）の基端部に設けられ、電柱（Ｃ）の周面に当接した状態で筒体（１０）を下方から水平支持する支持体（１５）とを備え、
前記巻掛部材（３０）は、前記筒体（１０）の先端部を上方から跨ぐように取り付けられる円弧状部（３１）を有し、該円弧状部（３１）は、巻回されたケーブルの余長分の複数の線束が巻き掛けられる幅寸法を有し、且つ巻回されたケーブルの余長分の線束の輪を前記筒体（１０）の外周に形成できる曲面からなり、
前記位置決め手段（３５）は、基端部が前記円弧状部（３１）に植設された複数の位置決め棒（３６）からなり、巻回されたケーブルの線束を保持できる長さを有してなることを特徴とするケーブル余長処理具。
【請求項２】
電柱（Ｃ）に固定するための固定部材（１）と、該固定部材（１）に取り付けられる巻掛部材（３０）と、該巻掛部材（３０）に巻き掛けられるケーブルの位置決め手段（３５）とで構成され、
前記固定部材（１）は、電柱（Ｃ）に対して水平方向に配される筒体（１０）と、該筒体（１０）の基端部に設けられ、電柱（Ｃ）の周面に沿うようにして該電柱（Ｃ）に取り付けられるバンド体（２，２）と、筒体（１０）の基端部に設けられ、電柱（Ｃ）の周面に当接した状態で筒体（１０）を下方から水平支持する支持体（１５）とを備え、
前記巻掛部材（３０）は、前記筒体（１０）の先端部を上方から跨ぐように取り付けられる円弧状部（３１）を有し、該円弧状部（３１）は、巻回されたケーブルの余長分の複数の線束が巻き掛けられる幅寸法を有し、且つ巻回されたケーブルの余長分の輪を前記筒体（１０）の外周に形成できる曲面からなり、
前記位置決め手段（３５）は、前記円弧状部（３１）をその幅方向に跨ぐよう、その両端部が該円弧状部（３１）の両側端部に取り付けられるガイドレール（４１）と、該ガイドレール（４１）に沿って移動可能な移動体（４２）と、該移動体（４２）に装着され、ケーブルが挿脱可能な挿通用リング（４３）とで構成される巻回ガイド（４０）を有することを特徴とするケーブル余長処理具。
【請求項３】
電柱（Ｃ）に固定するための固定部材（１）と、該固定部材（１）に取り付けられる巻掛部材（３０）と、該巻掛部材（３０）に巻き掛けられるケーブルの位置決め手段（３５）とで構成され、
前記固定部材（１）は、電柱（Ｃ）に対して水平方向に配される筒体（１０）と、該筒体（１０）の基端部に設けられ、電柱（Ｃ）の周面に沿うようにして該電柱（Ｃ）に取り付けられるバンド体（２，２）と、筒体（１０）の基端部に設けられ、電柱（Ｃ）の周面に当接した状態で筒体（１０）を下方から水平支持する支持体（１５）とを備え、
前記巻掛部材（３０）は、前記筒体（１０）の先端部を上方から跨ぐように、且つケーブルの一端部が挿通される隙間が形成されるように、幅方向の両側に配設される幅大の円弧状部（３１１，３１１）、及び中央に配される幅小の円弧状部（３１２）を有し、さらに、幅大の円弧状部（３１１，３１１）及び幅小の円弧状部（３１２）は、巻回されたケーブルの余長分の輪を前記筒体（１０）の外周に形成できる曲面からなり、
前記位置決め手段（３５）は、基端部が前記円弧状部（３１）に植設される複数の位置決め棒（３６）からなり、巻回されたケーブルの線束を保持できる長さを有してなることを特徴とするケーブル余長処理具。
【発明の詳細な説明】
【技術分野】
【０００１】
本発明は、電柱においてケーブルを例えば架線延線する場合、ケーブルの余長分を処理するケーブル余長処理具に関する。
【背景技術】
【０００２】
従来のこの種のケーブル余長処理具としては、例えば電柱の上部に水平支持された腕金に対して、下向きに取り付けられたケーブル余長分支持金具が公知になっている。このケーブル余長分支持金具は、腕金に対して直交方向に配される垂直フレームと、該垂直フレームの上部に設けられた腕金具に取り付けるための取付金具及びその締結部材と、垂直フレームの下端部に固設された円弧状の支持部材とから構成されている。
【０００３】
そして、腕金に対して垂直フレームを上下方向に位置させると共に、腕金の一端部に垂直フレームの上端部を取付金具によって固定し、ケーブルの余長分を支持部材に沿うように曲げて同心状に巻回し、テーピングなどを施してケーブル余長分を支持部材において固定する。
【０００４】
また、他の従来のケーブル余長処理具としては、電柱の上部に、上下一対の腕金具を平行して取り付けたものも公知になっている。この場合、上下の腕金具に対してケーブルの余長分を同心状又は８の字状に巻回する。
【特許文献１】特開２００２−３１１３１５号公報
【発明の開示】
【発明が解決しようとする課題】
【０００５】
しかしながら、前者（公報）のケーブル余長処理具は、ケーブルの余長分を円弧状の支持部材に沿わせる必要があるので、ケーブルの余長分の長さが大きくなるほど処理が困難になる。このため、１０ｍ〜２０ｍ程度のケーブルの余長分しか処理できないという問題がある。
【０００６】
また、後者のケーブル余長処理具は、上下一対の腕金を取り付けるスペースを確保する必要がある。さらに、ケーブルの余長分を上下の腕金に対して同心状又は８の字状に巻回する場合、ケーブルを円弧状に折り曲げて、この円弧状部を上側の腕金の側面に引っ掛けつつ、その円弧状部に沿うよう順次ケーブルを巻回する。巻回作業終了後は、ケーブルの余長分は腕金に吊り下げられた状態になるが、巻回したケーブルの直径に比して、上側の腕金の幅寸法が小さいため、折り曲げたケーブルの円弧状部をそれに沿って支持するものがなく、腕金の側面の真上に位置する小円弧状部に荷重が集中して係るようになり、この部位を起点として両側に引っ張られて屈曲する程に撓むことになる。そして、この状態で放置された場合は、上記部位の電線が損傷する恐れもあると考えられる。
【０００７】
さらに、いずれのケーブル余長処理具も、ケーブルの余長分の巻回作業及び巻回されたケーブルの余長分の引き出し作業を行う場合、巻回されたケーブルの余長分の束が多くなるほど支持部材や腕金から逸脱しやすくなり、その分作業性が悪くなる。
【０００８】
そこで、本発明は上記問題点を鑑み、巻回したケーブルを放置しても、ケーブルを損傷させることなく、ケーブルの余長分の巻回作業、及び巻回された余長分の引き出し作業の作業性を向上できるケーブル余長処理具を提供することを目的とする。
【課題を解決するための手段】
【０００９】
前記課題を解決するために、本発明に係るケーブル余長処理具は、電柱Ｃに固定するための固定部材１と、該固定部材１に取り付けられる巻掛部材３０と、該巻掛部材３０に巻き掛けられるケーブルの位置決め手段３５とで構成され、前記固定部材１は、電柱Ｃに対して水平方向に配される筒体１０と、該筒体１０の基端部に設けられ、電柱Ｃの周面に沿うようにして該電柱Ｃに取り付けられるバンド体２，２と、筒体１０の基端部に設けられ、電柱Ｃの周面に当接した状態で筒体１０を下方から水平支持する支持体１５とを備え、前記巻掛部材３０は、前記筒体１０の先端部を上方から跨ぐように取り付けられる円弧状部３１を有し、該円弧状部３１は、巻回されたケーブルの余長分の複数の線束が巻き掛けられる幅寸法を有し、且つ巻回されたケーブルの余長分の線束の輪を前記筒体１０の外周に形成できる曲面からなり、前記位置決め手段３５は、基端部が前記円弧状部３１に植設された複数の位置決め棒３６からなり、巻回されたケーブルの線束を保持できる長さを有してなることを特徴とする。
【００１０】
この場合、ケーブルの余長分を円弧状部３１に沿って巻回するので、巻回作業が迅速且つ円滑に行うことができる。また、巻回したケーブルを巻き掛けした状態で放置しても、巻掛部材３０の円弧状部３１によって、ケーブルは輪を維持した状態で吊り下げられるので、局所に荷重が係ることが無く、ケーブルの損傷を防止できる。また、巻掛部材３０の円弧状部３１に、ケーブルの位置決め手段３５を設けるようにしたので、ケーブルの余長分を円弧状部３１に沿って巻回する際、又は巻回した後、ケーブルが円弧状部３１から逸脱しないので、ケーブルの余長分の巻回作業、及び巻回された余長分の引き出し作業の作業性がよくなる。
【００１１】
なお、ここでいう位置決め手段３５は、ケーブルが円弧状部３１から逸脱するのを防止する機能のみならず、巻回作業時、円弧状部３１の幅方向に対するケーブルの位置決め機能を含むこともある。
また、巻掛部材３０の円弧状部３１が、ケーブルを巻回できるよう、水平支持された筒体１０によって安定した状態で支持されると共に、筒体１０によって電柱Ｃに装着されている機器や部材から離れた位置でケーブルの余長分を巻回作業ができるので、容易に作業スペースを確保でき、より作業性がよくなる。なお、筒体１０は、電柱に対して径外方向に突出するよう支持されてもよいし、接線方向に支持されるようにしてもよい。
【００１２】
また、本発明によれば、電柱Ｃに固定するための固定部材１と、該固定部材１に取り付けられる巻掛部材３０と、該巻掛部材３０に巻き掛けられるケーブルの位置決め手段３５とで構成され、前記固定部材１は、電柱Ｃに対して水平方向に配される筒体１０と、該筒体１０の基端部に設けられ、電柱Ｃの周面に沿うようにして該電柱Ｃに取り付けられるバンド体２，２と、筒体１０の基端部に設けられ、電柱Ｃの周面に当接した状態で筒体１０を下方から水平支持する支持体１５とを備え、前記巻掛部材３０は、前記筒体１０の先端部を上方から跨ぐように取り付けられる円弧状部３１を有し、該円弧状部３１は、巻回されたケーブルの余長分の複数の線束が巻き掛けられる幅寸法を有し、且つ巻回されたケーブルの余長分の輪を前記筒体１０の外周に形成できる曲面からなり、前記位置決め手段３５は、前記円弧状部３１をその幅方向に跨ぐよう、その両端部が該円弧状部３１の両側端部に取り付けられるガイドレール４１と、該ガイドレール４１に沿って移動可能な移動体４２と、該移動体４２に装着され、ケーブルが挿脱可能な挿通用リング４３とで構成される巻回ガイド４０を有することを特徴とする。
【００１３】
この場合、ケーブルが挿通用リング４３によって固定されることに加えて、挿通用リング４３がケーブルを巻回する際に移動体４２によってガイドレール４１に沿って移動するので、ケーブルの余長分を巻回しやすくて、巻回作業が円滑に行われ、外観も良好になる。
【００１４】
電柱Ｃに固定するための固定部材１と、該固定部材１に取り付けられる巻掛部材３０と、該巻掛部材３０に巻き掛けられるケーブルの位置決め手段３５とで構成され、前記固定部材１は、電柱Ｃに対して水平方向に配される筒体１０と、該筒体１０の基端部に設けられ、電柱Ｃの周面に沿うようにして該電柱Ｃに取り付けられるバンド体２，２と、筒体１０の基端部に設けられ、電柱Ｃの周面に当接した状態で筒体１０を下方から水平支持する支持体１５とを備え、前記巻掛部材３０は、前記筒体１０の先端部を上方から跨ぐように、且つケーブルの一端部が挿通される隙間が形成されるように、幅方向の両側に配設される幅大の円弧状部３１１，３１１、及び中央に配される幅小の円弧状部３１２を有し、さらに、幅大の円弧状部３１１，３１１及び幅小の円弧状部３１２は、巻回されたケーブルの余長分の輪を前記筒体１０の外周に形成できる曲面からなり、前記位置決め手段３５は、基端部が前記円弧状部３１に植設される複数の位置決め棒３６からなり、巻回されたケーブルの線束を保持できる長さを有してなることを特徴とする。
【００１５】
この場合、ケーブルの一端部を、幅大の円弧状部３１１と幅小の円弧状部３１２の隙間に挿通し、挿通したケーブルの一端部を固定端として他端側を各幅大及び幅小の円弧状部３１１，３１２に沿って順次巻回することができる。すなわち、ケーブルの一端部が固定された状態で巻回できるので、巻回作業が容易になる。しかも、ケーブル余長処理具全体を軽量化でき、各幅大及び幅小の円弧状部３１１，３１２は、ケーブルを巻回する際のガイド及び位置決めの役目も担っている。
【発明の効果】
【００１６】
以上のように、本発明によれば、ケーブルの余長分が巻き掛け可能な円弧状部を有する巻掛部材を、固定部材を介して電柱に固定したので、巻回したケーブルの余長分を吊り下げて放置しても、ケーブルを損傷させることがない。また、巻掛部材の円弧状部に位置決め手段を設けるようにしたので、ケーブルの余長分の巻回作業、及び巻回された余長分の引き出し作業の作業性を向上できる効果がある。
また、本発明によれば、円弧状部を跨ぐようにガイドレールを取り付けて、ガイドレールに沿って移動する移動体に、ケーブルが挿脱可能な挿通用リングを装着したので、ケーブルの余長分が巻回しやすくなり、巻回作業が円滑に行われ、外観も良好になる。
また、本発明によれば、ケーブルの一端部が挿通される隙間が形成されるように、幅方向の両側に幅大の円弧状部を配設するとともに、中央に幅小の円弧状部を配したので、ケーブルの一端部が固定された状態で巻回できるようになり、巻回作業が容易になる。
【発明を実施するための最良の形態】
【００１７】
以下、本発明の一実施形態に係るケーブル余長処理具について図１及び図２を参照しつつ説明する。なお便宜上図１及び図２の前後左右をケーブル処理具の前部、後部左右の両側部とする。
【００１８】
ケーブル余長処理具は、電柱Ｃの周面に固定するための固定部材１と、該固定部材１に取り付けられ、ケーブルの余長分が巻き掛け可能な円弧状部３１を有する巻掛部材３０と、該円弧状部３１に設けられ、円弧状部３１に巻き掛けられるケーブルの位置決め手段３５とから構成されている。
【００１９】
固定部材１は、いわゆる「水平やり出しアーム」方式であって、その基端部に、電柱Ｃの周面を両側から挟持する一対の円弧状のバンド体２，２が回転自在に支持されると共に、先端部に、該先端部を上方から跨ぐように巻掛部材３０が取り付けられる筒体１０と、該筒体１０の基端部側を下方から水平支持する支持体１５と、後述する両バンド体２，２の取付片６を締結する締結部材２５とを備えている。この場合、電柱Ｃに装着されている機器などを考慮して、各機器から離間した位置で巻回作業が行えるようにしているが、各機器に対して支障がなければ、筒体１０を介さずに巻掛部材３０を電柱Ｃに直接固定するようにしてもよい。
【００２０】
バンド体２，２は、電柱Ｃの径に合わせて伸縮できるよう、基端部が、後述する支持体１５のヒンジ部１７のボルトＢに回転自在に支持されるよう、円筒状に折り曲げ加工された支持部３が形成されると共に、先端部に雄ねじ４が突設された第一当接部２ａと、基端部に雄ねじ４が挿通される複数の調整用孔５，…が形成されると共に、先端部に取付片６，６が延設された第二当接部２ｂとを具備している。なお、作業時においては、作業する電柱Ｃの大きさは分かっているので、予め所望の調整用孔５，…に雄ねじ４を挿通すると共に、挿通した雄ねじ４にナットＮを螺合させ、第一及び第二当接部２ａ，２ｂを調整しておく。
【００２１】
筒体１０は、断面四角形状の外筒１０ａと、該外筒１０ａに挿脱可能な内筒１０ｂとを有している。そして、外筒１０ａは、その上面に平行して固着された一対の受け板１１と、下側の角部の前後左右の位置から巻掛部材３０の端縁部に傾斜して架設された支持棒１２とを備えている。内筒１０ｂは、その基端部が支持体１５の挿通空間１９に挿通されて、筒体１０が水平支持されるようになっている。なお筒体１０は、円筒体又は角筒体の何れであってもよい。
【００２２】
支持体１５は、筒体１０の側面と略同一幅寸法の傾斜板１５ａと、該傾斜板１５ａの左右両側端部から上側に折り曲げられた側面視略台形状の側面支持板１５ｂ，１５ｂと、該両側面支持板１５ｂ，１５ｂによって形成された上面開口部の後部及び背面開口部の下部を閉塞した略Ｔ字形状の閉塞板１８，１８と、両側面支持板１５ｂ，１５ｂ及び各閉塞板１８，１８で形成された、筒体１０の基端部が挿通される断面四角形状の挿通空間１９と、支持体１５を筒体１０に取り付けるべく、両側面支持板１５ｂ，１５ｂ及び筒体１０を貫通したピン２０とを備えている。そして、両側面支持板１５ｂ，１５ｂは、前後にそれぞれ直立面を有し、下側に傾斜面、上側に水平面を有しており、筒体１０を水平支持するのに有効に作用する。
【００２３】
両側面支持板１５ｂ，１５ｂは、その外面に上下に平行して支持片１６，１６が突設され、上下の各支持片１６，１６をボルトＢが貫通すると共に、該ボルトＢのネジ部にナットＮが螺合し、各支持片１６，１６に支持されたボルトＢによって、上述したヒンジ部１７が構成され、第一当接部２ａの支持部（基端部）３が回転自在に支持されている。
【００２４】
そして、両側面支持板１５ｂ，１５ｂ及び傾斜板１５ａの前側端部によって、前面開口部が形成され、両側面視時板１５ｂ，１５ｂの上側端部及び閉塞板１８の前側端部によって上面開口部が形成され、両側面視時板１５ｂ，１５ｂの後面開口部及び閉塞板１８の上側端部によって背面開口部が形成されている。さらに、前面開口部から背面開口部に亘って筒体１０の内筒１０ｂの基端部の挿脱可能な挿通空間１９が形成されている。
【００２５】
一方、支持体１５の前面開口部から挿通された筒体１０の内筒１０ｂの基端部は、その上側面が閉塞板１８の裏面に当接すると共に、基端部の下縁部が閉塞板１８の上縁部に当接し、この状態でピン２０が両側面支持板１５ｂ，１５ｂ及び内筒１０ｂを貫通して、筒体１０及び支持体１５が一体化される。そして、筒体１０の基端部が支持体１５の傾斜板１５ａ、両側面支持板１５ｂ，１５ｂ、各閉塞板１８，１８によって水平支持され、筒体１０が電柱Ｃに対して径外方向に突出して支持される。
【００２６】
締結部材２５は、両バンド体２，２の取付片６，６に形成された貫通孔６ａ，６ａに挿通されるボルトＢと、該ボルトＢのネジ部に螺合するナットＮとを有している。貫通孔６ａ，６ａに挿通されたボルトＢは、電柱Ｃの周面に対して接線方向に位置した状態で締結される。
【００２７】
巻掛部材３０は、ケーブルの余長分を巻き掛けるための円弧状部３１と、該円弧状部３１の曲面に対して径外方向に突出して設けられた位置決め手段３５としての位置決め棒３６を有している。
【００２８】
円弧状部３１は、ケーブルの余長分を巻き掛けできる幅寸法及び巻き掛けられたケーブルの湾曲部を、該円弧状部３１に沿って支持できる長さ寸法を有し、且つ巻回されたケーブルの余長分を吊り下げた状態で長時間放置してもケーブルの余長分を安定支持できる強度を持っている。
【００２９】
位置決め手段３５は、その基端部が巻掛部材３０の円弧状部３１に植設された複数の位置決め棒３６，…からなり、巻回されたケーブルの線束を充分に保持できる長さを有している。そして、各位置決め棒３６，…の先端部には、ケーブルの損傷を防止するためのエンドキャップ３７，…が嵌着されている。
【００３０】
つぎにケーブル余長処理方法について説明する。予め両バンド体２，２の取付片６，６からボルトＢを取り外すと共に、両バンド体２，２の取付片６，６の先端部を電柱Ｃの周面に当接し、両バンド体２，２が押し広がるよう、筒体１０の先端部側から押圧力を加えて、両バンド体２，２を電柱Ｃの周面に当接させる。この状態で、両取付片６，６にボルトＢを貫通させてナットＮで締結し、固定部材１を電柱Ｃに取り付ける。この際、支持体１５の背面開口部の側縁部及び閉塞板１８が電柱Ｃの周面に当接し、径外方向に突出した状態の筒体１０が水平支持される。この水平支持された筒体１０は、巻掛部材３０にケーブルの余長分が巻き掛けられてもその荷重に耐え得るようになっている。
【００３１】
そして、ケーブルの余長分を両側の位置決め棒３６，…から逸脱しないように巻掛部材３０の円弧状部３１に沿うようにして同心状に巻回する。
【００３２】
なお本発明は、前記実施形態に限定されるものではなく、本発明の要旨を逸脱しない範囲で種々の変更が可能である。
【００３３】
例えば、前記実施形態においては、巻掛部材３０の円弧状部３１に植設された位置決め棒３６，…としたが、図３（ａ）に示すように、直立状態を保持するロック手段を備えた位置決め棒３６０，…としてもよい。即ち、位置決め棒３６０，…が起立した姿勢と倒れた姿勢とに切り換えできるようになっている。
【００３４】
また、図３（ｂ）に示すように、巻掛部材３０にケーブルの余長分を均一に巻回するための巻回ガイド４０を位置決め手段３５としてさらに加えるようにしてもよい。この巻回ガイド４０は、巻掛部材３０の両側端部にボルトＢによって略水平に固定支持された着脱可能な円弧状又はコ字形状のガイドレール４１と、該ガイドレール４１に移動自在に設けられた円環状の移動体４２と、該移動体４２に垂設されたケーブルの一端部を挿通する挿通用リング４３と、移動体４２をガイドレール４１に固定するためのボルトＢとを備えている。なお、挿通用リング４３は、図示しない弾性部材によって、閉状態に維持されると共に開閉可能に設けられた一対の挟持片４３ａ，４３ａを備えており、挿通されたケーブルの一端部を開放できるよう構成されている。
【００３５】
そして、ケーブルの余長分の一端部を巻掛部材３０の円弧状部３１に沿わせておいて挿通用リング４３に挿通すると共に、他端部を円弧状部３１とガイドレール４１との間を通して円弧状部３１に沿うように巻回し、巻回したケーブルの輪が所望の大きさになるよう、その輪を構成する線束を順次繰り送ると共に、該線束を円弧状部３１において整列させる。つまり、巻回ガイド４０によって、円弧状部３１にケーブルの余長分をきれいに巻回できるようになり、外観が良好になる。
【００３６】
その後、巻回したケーブルの余長分を余長処理具から延線し、この延線作業終了後、挿通用リング４３の挟持片４３ａ，４３ａを開放し、挿通用リング４３からケーブルの端部を取り外し、最後に余長処理具を撤去する。
【００３７】
この場合、挿通用リング４３の挟持片４３ａ，４３ａが開閉することで、ケーブルを切断することなく、また挿通用リング４３に通した余長分を一旦引き抜くような手間もなく簡単に取り外せる。
【００３８】
また、挿通用リング４３の挟持片４３ａ，４３ａが開閉可能であることから、ケーブルの余長分を架線した場合において、その途中で、ケーブルを巻き戻す作業が発生しても、挟持片４３ａ，４３ａを開放して、ケーブルの挿通用リング４３への挿通状態が保持できるようになる。即ち、挟持片４３ａ，４３ａの開閉により巻回作業、延線作業、ケーブル余長処理具の撤去作業、架線作業途中の巻戻し、いずれにおいても、ケーブルを切断することなく容易に対処できる。
【００３９】
また、前記実施形態の場合、円弧状部３１を有する巻掛部材３０を使用したが、図４（ａ）に示すように、固定側円弧状部３１０ａと、該固定側円弧状部３１０ａに移動可能に設けられた、固定側円弧状部３１０ａよりもやや大きい可動側円弧状部３１０ｂとを有する幅調整可能な巻掛部材３００を使用してもよい。この場合、可動側円弧状部３１０ｂの裏面に幅方向に沿ってレール３２ａを固設すると共に、該レール３２ａの所望の位置で可動側円弧状部３１０ｂを位置固定できるよう位置固定部材３３及び止めネジ３４を設ける。さらに、可動側円弧状部３１０ｂの両端部を内側に折り曲げてレール３２ｂを形成し、固定側円弧状部３１０ａに対して移動自在になるよう構成する。そして、ケーブルの余長分の処理作業を行う際、予め可動側円弧状部３１０ｂの位置を固定しておく。なお、図４（ａ）は巻掛部材を裏面側から見た斜視図である。
【００４０】
また、他の変形例として、図４（ｂ）に示すように、固定側円弧状部３１０ａの両側端縁部に対して可動側円弧状部３１０ｂが移動できるよう、可動側円弧状部３１０ｂの両側端縁部にレールとしての折り曲げ部３１０ｃを形成し、固定側円弧状部３１０ａに対して可動側円弧状部３１０ｂが移動できるようにする。さらに、可動側円弧状部３１０ｂを所望の位置で固定できるよう、固定側円弧状部３１０ａにおける両側端縁部の前後左右にボルトＢを内側から螺合させ、ボルトＢによる内側からの押圧によって可動側円弧状部３１０ｂを拡縮させ、可動側円弧状部３１０ｂを所望の位置で固定する。
【００４１】
また、前記実施形態の場合、ケーブルの余長分を巻き掛けるだけの巻掛部材３０としたが、図５（ａ）に示すように、左右の両側に、比較的幅大の円弧状部３１１，３１１をそれぞれ配設すると共に、中央に幅小の円弧状部３１２を配し、さらに、各幅大及び幅小の円弧状部３１１，３１２の両端部と各幅大及び幅小の円弧状部３１１，３１２の中央に連結板３１３を架設するようにしてもよい。そして、ケーブルの一端部を、幅大の円弧状部３１１と幅小の円弧状部３１２の隙間に挿通し、挿通したケーブルの一端部を固定端として他端側を各幅大及び幅小の円弧状部３１１，３１２に沿って順次巻回する。この場合、ケーブルの一端部が固定された状態で巻回できるので、巻回作業が容易になる。しかも、ケーブル余長処理具全体を軽量化でき、各幅大及び幅小の円弧状部３１１，３１２は、ケーブルを巻回する際のガイド及び位置決めの役目も担っている。
【００４２】
また、他の変形例として、図５（ｂ）に示すように、巻掛部材３０の円弧状部３１に、ケーブルの余長分をきれいに巻回できるよう、複数の位置決め突条部３６ａ，…を形成してもよい。この場合、各突条部３６ａ，…によって、ケーブルを巻回する位置が形成されるので、ケーブルの余長分を円弧状部３１に巻きやすくなる。
【００４３】
また、前記実施形態の場合、固定部材１として、バンド体２，２及び筒体１０を備えたものを使用したが、電柱Ｃに装着されている既設の腕金に巻掛部材３０を直接取り付けるようにしてもよい。さらに、筒体１０を伸縮自在の構成にしてもよく、電柱Ｃに対して接線方向に支持するようにしてもよい（いずれも図示せず）。要は、巻掛部材３０にケーブルの余長分を円滑且つ迅速に巻回できればよい。
【００４４】
また、固定部材１、巻掛部材３０の使用する材料は特に限定されるものではなく、ケーブルの余長分を巻き掛けた状態で吊り下げ可能な強度を有し、絶縁性、耐候性及び耐水性の有する材料であれば何でもよい。
【図面の簡単な説明】
【００４５】
【図１】本発明の一実施形態に係るケーブル余長処理具を示す斜視図。
【図２】ケーブル余長処理具を電柱に実装状態を示した側面図。
【図３】（ａ）は位置決め棒の変形例を示した斜視図、（ｂ）は巻回ガイドを備えた位置決め手段の構成を示した斜視図。
【図４】（ａ）、（ｂ）は幅調整可能な巻掛部材の変形例を示した斜視図。
【図５】（ａ）、（ｂ）は巻回するケーブルの位置決め可能な巻掛部材の変形例を示した斜視図。
【符号の説明】
【００４６】
１…固定部材、２…バンド体、２ａ…第一当接部、２ｂ…第二当接部、３…支持部、４…雄ねじ、５…調整用孔、６…取付片、６ａ…貫通孔、１０…筒体、１０ａ…外筒、１０ｂ…内筒、１１…受け板、１２…支持棒、１５…支持体、１５ａ…傾斜板、１５ｂ…側面支持板、１６…支持片、１７…ヒンジ部、１８…閉塞板、１９…挿通空間、２０…ピン、２５…締結部材、３０、３００…巻掛部材、３１…円弧状部、３２ａ，３２ｂ…レール、３３…位置固定部材、３４…止めネジ、３１０ａ…固定側円弧状部、３１０ｂ…可動側円弧状部、３１０ｃ…連結板、３１１…幅大の円弧状部、３１２…幅小の円弧状部、３１３…連結板、３５…位置決め手段、３６、３６０…位置決め棒、３６ａ…位置決め突条部、３７…エンドキャップ、４０…巻回ガイド、４１…ガイドレール、４２…移動体、４３…挿通用リング、４３ａ…挟持片、Ｂ…ボルト、Ｃ…電柱、Ｎ…ナット
【図１】
0004933378.tif 000002
【図２】
0004933378.tif 000003
【図３】
0004933378.tif 000004
【図４】
0004933378.tif 000005
【図５】
0004933378.tif 000006